(57)【特許請求の範囲】
【請求項１】
プラグハウジング本体と
前記プラグハウジング本体に取り付けられた筒状嵌合部と
前記筒状嵌合部に突設したロック係止爪と、を備え、
前記ロック係止爪にロック部用キー溝を設けたプラグと、
レセプタクル本体と、
前記レセプタクル本体内に設けられ、前記筒状嵌合部と嵌合する穴状嵌合部と、
前記レセプタクル本体内部の前記穴状嵌合部の上側に設けられた上部空間内に設けられたロック片と、前記筒状嵌合部と前記穴状嵌合部とが嵌合した状態で前記ロック係止爪を係止するロック孔部と、前記ロック係止爪と対応する形状を有し、前記ロック係止爪が挿入される規制溝と、を有するロック部と、を備え、
前記ロック片は、弾性を有し、前記穴状嵌合部から独立するよう離間して設けられ、
前記規制溝は、前記穴状嵌合部の外壁面の一部に設けられ、
前記規制溝内に前記ロック部用キー溝に嵌合するロック部用キーを設け、前記プラグと嵌合するレセプタクルと、を備えたコネクタ。
【請求項２】
前記ロック部用キー溝は、前記ロック係止爪の横方向の両端部のうち一方の端部側に設けられたことを特徴とする請求項１に記載のコネクタ。
【請求項３】
前記ロック部用キー溝は、前記ロック係止爪の横方向の略中央部分に設けられたことを特徴とする請求項１に記載のコネクタ。
【請求項４】
前記プラグの前記筒状嵌合部は、外壁面に凸状の複数の外周キーを有し、
前記レセプタクルの前記穴状嵌合部は、外壁面に溝状の複数の外周キー溝を有し、
前記筒状嵌合部と前記穴状嵌合部とが嵌合した状態で前記外周キーと前記外周キー溝とが嵌合することを特徴とする請求項１から請求項３のいずれか１項に記載のコネクタ。
【発明の詳細な説明】
【技術分野】
【０００１】
本発明は、他のコネクタとの誤嵌合を防止することができるコネクタに関する。
【背景技術】
【０００２】
従来から、コネクタ同士の誤嵌合を防止するため、一方のコネクタにキー突起を設け、他方にキー突起に嵌合するキー溝を設けることで、嵌合の位置合わせをすることが行われている。
【０００３】
例えば特許文献１に記載されたコネクタにおいては、相手コネクタとのハウジングの筒状嵌合面１２に誤嵌合防止用のキー３２Ａもしくはキー溝１４Ａが形成された構成が開示されている。
【先行技術文献】
【特許文献】
【０００４】
【特許文献１】特開２００４−１７８８３７号公報
【発明の概要】
【発明が解決しようとする課題】
【０００５】
しかしながら、コネクタの複雑化に伴い、多数のキーを設けることが求められるケースも少なくない。このようなキーはコネクタハウジングの外壁のモールド部に通常設けられるが、モールド部のスペースにも限りがあるため設けることができるキーの数にも限界がある。
【０００６】
仮にキーの数を増やそうとすると、個々のキーの厚みが薄くなりキー強度を保つことができないため、コネクタのサイズを大型化することでキーを設けるためのスペースを大きくする必要がある。しかし、コネクタのサイズの小型化が求められる現状ではコネクタサイズの大型化は好ましくない。
【０００７】
本発明はこのような問題を解決するためになされたもので、コネクタ同士の誤嵌合を防止できるコネクタを提供することを目的とする。
【課題を解決するための手段】
【０００８】
本発明に係るコネクタは、上記目的を達成するため、プラグハウジング本体と前記プラグハウジング本体に取り付けられた筒状嵌合部と前記筒状嵌合部に突設したロック係止爪と、を備え、前記ロック係止爪にロック部用キー溝を設けたプラグと、レセプタクル本体と、前記レセプタクル本体内に設けられ、前記筒状嵌合部と嵌合する穴状嵌合部と、前記レセプタクル本体内部の前記穴状嵌合部の上側に設けられた上部空間内に設けられたロック片と、前記筒状嵌合部と前記穴状嵌合部とが嵌合した状態で前記ロック係止爪を係止するロック孔部と、前記ロック係止爪と対応する形状を有し、前記ロック係止爪が挿入される規制溝と、を有するロック部と、を備え、前記ロック片は、弾性を有し、前記穴状嵌合部から独立するよう離間して設けられ、前記規制溝は、前記穴状嵌合部の外壁面の一部に設けられ、前記規制溝内に前記ロック部用キー溝に嵌合するロック部用キーを設け、前記プラグと嵌合するレセプタクルと、を備えて構成される。
【０００９】
この構成により、前記筒状嵌合部と前記穴状嵌合部とが嵌合した状態で、ロック部の規制溝内に設けたロック部用キーがロック係止爪に設けたロック部用キー溝に嵌合するためプラグとレセプタクルの誤嵌合を防止することができる。また、ロック係止爪にロック部用キー溝を設け、規制溝内にロック部用キーを設けるため、プラグハウジング本体およびレセプタクル本体にキーまたはキー溝を設けるためのスペースを新たに設ける必要がないため、コネクタサイズの大型化を抑えることができる。
【００１０】
上述した構成のコネクタにおいて、前記ロック部用キー溝は、前記ロック係止爪の横方向の両端部のうち一方の端部側に設けられるよう構成してもよい。この構成により、コネクタのサイズを大型化することなくキーを設け、コネクタ同士の誤嵌合を防止できる。また、キー形状を多様化することでより多様なキー要求に対応することができる。
【００１１】
上述した構成のコネクタにおいて、前記ロック部用キー溝は、前記ロック係止爪の横方向の略中央部分に設けられるよう構成してもよい。この構成により、コネクタのサイズを大型化することなくキーを設け、コネクタ同士の誤嵌合を防止できる。また、キー形状を多様化することでより多様なキー要求に対応することができる。
【００１２】
上述した構成のコネクタにおいて、前記プラグの前記筒状嵌合部は、外壁面に凸状の複数のキーを有し、前記レセプタクルの前記穴状嵌合部は、外壁面に溝状の複数のキー溝を有し、前記筒状嵌合部と前記穴状嵌合部とが嵌合した状態で前記キーと前記キー溝とが嵌合するよう構成してもよい。この構成により、キーおよびキー溝の組合せを増やすことができ、より確実に誤嵌合を防止できる。
【発明の効果】
【００１３】
本発明によれば、コネクタ同士の誤嵌合を防止できる。
【図面の簡単な説明】
【００１４】
【図１】本発明の実施の形態に係るコネクタの嵌合させた状態を示す斜視図である。
【図２】本発明の実施の形態に係るコネクタのプラグの斜視図である。
【図３】本発明の実施の形態に係るコネクタのプラグを各方向から視た図であり、図３（ａ）は正面図、図３（ｂ）は側面図、図３（ｃ）は上面図である。
【図４】本発明の実施の形態に係るコネクタのケーブルジャックの斜視図である。
【図５】本発明の実施の形態に係るコネクタのケーブルジャックを各方向から視た図であり、図５（ａ）は正面図、図５（ｂ）は側面図、図５（ｃ）は上面図である。
【図６】本発明の実施の形態に係るコネクタの嵌合させた状態を示す上面図である。
【図７】本発明の実施の形態に係るコネクタの変形例であり図７（ａ）はプラグの斜視図、図７（ｂ）はケーブルジャックの斜視図である。
【図８】本発明の実施の形態に係るコネクタの変形例であり図８（ａ）はプラグの斜視図、図８（ｂ）はケーブルジャックの斜視図である。
【図９】本実施の形態に係るコネクタの変形例の上面図である。
【発明を実施するための形態】
【００１５】
以下、本実施の形態に係るコネクタ１について図１〜図９を参照して説明する。
【００１６】
図１はプラグ１０とケーブルジャック２０とを嵌合させた状態のコネクタ１の斜視図である。プラグハウジング本体１１にはシールドケース１５が取付けられている。本実施の形態ではプラグハウジング本体１１はナイロン系の樹脂製であるが、他の樹脂を用いてもよい。シールドケース１５は、導電性の金属板を折り曲げ加工してプラグハウジング本体１１の外周面に取り付けられている。シールドケース１５は、プリント配線基板に半田付けされ固定される。
【００１７】
ケーブルジャック２０は、ケーブルジャック本体２１とバネ押し片２７を備えており、プラグハウジング本体１１と嵌合している。本実施の形態ではケーブルジャック本体２１はＰＢＴ（ポリブチレンテレフタレート）樹脂製であるが、他の樹脂を用いてもよい。ケーブルジャック本体２１には同軸ケーブル３０が接続されている。同軸ケーブル３０の中心部にはプラグ１０側と導通する同軸導通体３１が設けられている。ケーブルジャック２０は本発明に係るレセプタクルを、ケーブルジャック本体２１は本発明に係るレセプタクル本体構成する。
【００１８】
図２および図３を用いてプラグ１０についてより詳細に説明する。図２はプラグ１０の斜視図であり、図３（ａ）はプラグ１０を嵌合面側から視た正面図であり、図３（ｂ）はプラグ１０を一方の側面側から視た側面図であり、図３（ｃ）はプラグ１０を上面側から視た上面図である。
【００１９】
図２に示すように、プラグ１０は、プラグハウジング本体１１と筒状嵌合部１２とロック係止爪１３を備えている。プラグハウジング本体１１はプラグ１０の本体部分をなし、略直方体形状であり、外周にシールドケース１５が取り付けられている。
【００２０】
筒状嵌合部１２はプラグハウジング本体１１の側面に取り付けられた筒状の部材であり、後述する、ケーブルジャック２０の穴状嵌合部２２と嵌合し、同軸ケーブル３０をプラグ１０側と導通させるようになっている。筒状嵌合部１２は、外周面に複数の外周キー１６を有し、内側に導通体本体部１７を有している。導通体本体部１７は、導電性金属製の細長ピン状の中心導体１７Ａと、中心導体１７Ａの外周を覆う絶縁樹脂製の絶縁体１７Ｂと、絶縁体１７Ｂの外周を覆う導電性金属製の外側導体１７Ｃとを有している。
【００２１】
図３（ａ）に示すように、筒状嵌合部１２は、外周の左右両側面に凸状の外周キー１６Ａを１つずつ、下面側に凸状の外周キー１６Ｂを４つ有している。外周キー１６Ａと外周キー１６Ｂの位置および個数は必ずしもこれに限定されない。外周キー１６Ａと外周キー１６Ｂは、後述するケーブルジャック２０の外周キー溝２８Ａ、２８Ｂと嵌合するようになっている。
【００２２】
図３（ｂ）に示すようにロック係止爪１３は筒状嵌合部１２の上に突設され、後述するケーブルジャック２０のロック孔部２５Ｂと係合し、プラグ１０とケーブルジャック２０との嵌合状態をロックするようになっている。
【００２３】
図２および図３（ｃ）に示すようにロック係止爪１３には図２中の横方向（図中左右方向）のうち右側の端部から中央付近にかけてロック部用キー溝１４が設けられている。ロック部用キー溝１４は、後述するケーブルジャック２０のロック部用キー２６と嵌合するようになっている。なお、ロック係止爪１３にロック部用キー溝１４を設けてもロック係止爪１３の根元部分の幅は変わらないのでロック強度が弱くなることはない。
【００２４】
次に図４および図５を用いてケーブルジャック２０についてより詳細に説明する。図４はケーブルジャック２０の斜視図であり、図５（ａ）はケーブルジャック２０を嵌合面側から視た正面図であり、図５（ｂ）はケーブルジャック２０を一方の側面側から視た側面図であり、図５（ｃ）はケーブルジャック２０を上面側から視た上面図である。
【００２５】
ケーブルジャック２０は、ケーブルジャック本体２１と穴状嵌合部２２とロック部２５とバネ押し片２７とを備え、同軸ケーブル３０に接続されている。
【００２６】
穴状嵌合部２２は、ケーブルジャック本体２１内に設けられた穴状の部位であり、内側に筒体２３と円弧片２４とを有している。筒状の筒体２３の中心部にはプラグ１０側と導通させるための導通孔２３Ａが設けられている。円弧片２４は筒体２３の外側に一定の間隔を空けて２つ設けられている。プラグ１０とケーブルジャック２０との嵌合時に中心導体１７Ａは導通孔２３Ａに挿入され導通し、絶縁体１７Ｂおよび外部導体１７Ｃは筒体２３と円弧片２４との間に挿入されるようになっている。
【００２７】
ロック部２５は、規制溝２５Ａとロック片２５Ｂとロック孔部２５Ｃとにより構成される。規制溝２５Ａは穴状嵌合部２２の外壁の一部に設けられた溝であり、筒状嵌合部１２と穴状嵌合部２２とが嵌合した状態で、ロック係止爪１３と対応する溝状の形状を有し、ロック係止爪１３が挿入されるようになっている。このような構成とすることで、対応する形状を有さない相手側のキーとの誤嵌合を防止する。ロック係止爪１３と規制溝２５Ａは当接するようにしてもよいし、当接しないようにしてもよい。
【００２８】
規制溝２５Ａ内には、凸状のロック部用キー２６が設けられている。ロック部用キー２６は穴状嵌合部２２と筒状嵌合部１２との嵌合時に、ロック係止爪１３に設けたロック部用キー溝１４と嵌合するサイズとなるようロック部用キー溝１４の中央部より左側（図４参照）に形成されている。
【００２９】
このように、ロック部用キー溝１４とロック部用キー２６のサイズを合わせることで、サイズの異なるロック部用キー溝やロック部用キーを有するプラグとケーブルジャックを誤って嵌合することを防止し、サイズの等しい適切なプラグとケーブルジャックを嵌合させることができる。また、通常は、キーを設けることのないロック部２５の空きスペースを活用してキーを設けているので、ケーブルジャック本体２１の外壁に設けるキー溝を増やすことなく、誤嵌合防止の機能を向上させることができる。したがって、キー溝を増やすためのケーブルジャック２０のサイズ大型化も招くことがない。
【００３０】
なお、上記例とは逆に図７（ｂ）に示すようにロック部用キー２６は、ロック部用キー溝１４の中央部より右側に形成するようにしてもよい。この場合、ロック部用キー溝１４の位置も合わせて図７（ａ）に示すように中央部より左側に形成する。また、ロック部用キー２６を複数設け、各キーの高さを変更することでより多様なキー要求に対応できるようにしてもよい。
【００３１】
ロック片２５Ｂはケーブルジャック本体２１内部の穴状嵌合部２２の上側に設けられた上部空間内に水平に設けられている。ロック片２５Ｂには、ロック孔部２５Ｃが設けられている。ロック孔部２５Ｃは、筒状嵌合部１２と穴状嵌合部２２とが嵌合した状態でロック係止爪１３を係止することでロックし嵌合状態を維持するようになっている（図５（ｃ）参照）。
【００３２】
ロック片２５Ｂは弾性を有する樹脂製であり、ロック係止爪１３を係止させるときはロック係止爪１３から加わる上向きの力により上方に撓み、係止状態においては図４に示す通常位置に戻る。また、係止状態を解除するときはケーブルジャック本体２１の上部に設けられ、ロック片２５Ｂと連結している図５（ｂ）に示すバネ押し片２７を下方に押圧することで、ロック片２５Ｂが上方に撓みロック係止爪１３を容易に抜くことができる。
【００３３】
図５（ａ）に示すように、穴状嵌合部２２は、外周の左右両側面に溝状の外周キー溝２８Ａを１つずつ、下面側に溝状の外周キー溝２８Ｂを４つ有している。外周キー溝２８Ａと外周キー溝２８Ｂは、プラグ１０の外周キー１６Ａ、１６Ｂと嵌合するようになっている。外周キー溝２８Ａと外周キー溝２８Ｂの位置および個数は必ずしもこれに限定されず、外周キー１６Ａ、１６Ｂのサイズ、位置に応じて変更してもよい。
【００３４】
このように外周キーと外周キー溝の位置、サイズを合わせることでサイズ、位置の異なる外周キー溝や外周キーを有するプラグとケーブルジャックを誤って嵌合することを防止し、サイズ、位置の合致する適切なプラグとケーブルジャックを嵌合させることができる。
【００３５】
図６はプラグ１０とケーブルジャック２０とを嵌合させた状態での上面側から視た図であり、ロック部用キー溝１４にロック部用キー２６が嵌合している。
【００３６】
図８および図９は、本実施の形態の変形例としてのプラグ１０Ａ、ケーブルジャック２０Ａおよびコネクタ１Ａをそれぞれ示している。このコネクタ１Ａは、ロック部用キー溝とロック部用キーの位置がコネクタ１と相違しているのみであり、その他の構成要素については同一である。
【００３７】
図８（ａ）に示すように、ロック係止爪１３には図中の横方向（図中左右方向）の略中央部分にロック部用キー溝１４Ａが設けられている。また、図８（ｂ）に示すように規制溝２５Ａ内の横方向の略中央部分には凸状のロック部用キー２６Ａがロック部用キー溝１４Ａの位置、サイズに合うよう設けられている。穴状嵌合部２２と筒状嵌合部１２とが嵌合した状態でロック部用キー２６Ａとロック部用キー溝１４Ａとが嵌合するようになっており、この状態を図９に示す。
【００３８】
以上のように、本実施の形態に係るコネクタ１は、プラグハウジング本体１１とプラグハウジング本体１１に取り付けられた筒状嵌合部１２と筒状嵌合部１２に突設したロック係止爪１３とを備えロック係止爪１３にロック部用キー溝１４を設けたプラグ１０と、ケーブルジャック本体２１とケーブルジャック本体２１内に設けられ筒状嵌合部１２と嵌合する穴状嵌合部２２と筒状嵌合部１２と穴状嵌合部２２とが嵌合した状態でロック係止爪１３を係止するロック孔部２５Ｃとロック係止爪１３と対応する形状を有し、ロック係止爪１３が挿入される規制溝２５Ａとを有するロック部とを備え規制溝２５Ａ内にロック部用キー溝１４に嵌合するロック部用キー２６を設けプラグ１０と嵌合するケーブルジャック２０とを備えている。
【００３９】
この構成により、筒状嵌合部１２と穴状嵌合部２２とが嵌合した状態で、ロック部２５の規制溝２５Ａ内に設けたロック部用キー２６がロック係止爪１３に設けたロック部用キー溝１４に嵌合するためプラグ１０とケーブルジャック２０の誤嵌合を防止することができる。また、ロック係止爪１３にロック部用キー溝１４を設け、規制溝２５Ａ内にロック部用キー２６を設けるため、プラグハウジング本体１１およびケーブルジャック本体２１にキーまたはキー溝を設けるためのスペースを新たに設ける必要がないため、コネクタサイズの大型化を抑えることができる。
【００４０】
また、ロック部用キー溝１４は、ロック係止爪１３の横方向の両端部のうち一方の端部側、すなわち右側または左側のいずれか一方の側に設けるようにしてもよい。また、ロック部用キー溝１４Ａは、ロック係止爪１３の横方向の略中央部分に設けるようにしてもよい。この構成により、キー形状を多用にすることでより多様なキー要求に対応することができる。
【００４１】
また、プラグ１０の筒状嵌合部１２は、外壁面に凸状の複数の外周キー１６Ａ、１６Ｂを有し、ケーブルジャック２０の穴状嵌合部２２は、外壁面に溝状の複数の外周キー溝２８Ａ、２８Ｂを有し、筒状嵌合部１２と穴状嵌合部２２とが嵌合した状態で外周キー１６Ａ、１６Ｂと外周キー溝２８Ａ、２８Ｂとが嵌合するようにしてもよい。この構成により、キーおよびキー溝の組合せを増やすことができ、より確実に誤嵌合を防止できる。
【００４２】
なお、本発明に係るコネクタの技術的範囲は、上述した実施の形態に限定されるものではなく、特許請求の範囲に記載した各構成要素の種々の変更を含むものである。
【００４３】
以上説明したように、本発明に係るコネクタは、コネクタのサイズを大型化することなくキーを追加して設け、コネクタ同士の誤嵌合を防止できるという効果を有し、コネクタ全般に有用である。
【符号の説明】
【００４４】
１、１Ａ  コネクタ
１０、１０Ａ  プラグ
１１  プラグハウジング本体
１２  筒状嵌合部
１３  ロック係止爪
１４、１４Ａ  ロック部用キー溝
１６Ａ、１６Ｂ  外周キー
２０、２０Ａ  ケーブルジャック（レセプタクル）
２１  ケーブルジャック本体（レセプタクル本体）
２２  穴状嵌合部
２５  ロック部
２５Ａ  規制溝
２５Ｂ  ロック片
２５Ｃ  ロック孔部
２６、２６Ａ  ロック部用キー
２８Ａ、２８Ｂ  外周キー溝
【図１】
0006610194.tif 000002
【図２】
0006610194.tif 000003
【図３】
0006610194.tif 000004
【図４】
0006610194.tif 000005
【図５】
0006610194.tif 000006
【図６】
0006610194.tif 000007
【図７】
0006610194.tif 000008
【図８】
0006610194.tif 000009
【図９】
0006610194.tif 000010